(57)【要約】      （修正有）【課題】キャンペーンに要する費用を低減したキャンペーン運営システムを提供する。【解決手段】シール用に生成されたシリアルナンバーのそれぞれに対してキャンペーン対象の商品に関する情報を関連付けて記憶する記憶手段と、第１コード（ＪＡＮコード）及び第２コード（二次元コード）を略同時に撮影できる場合に両コード情報を取得する取得手段と、取得手段が取得した情報を送信する送信手段と、送信手段から受信した第１情報が、記憶手段に記憶されたキャンペーン対象の商品に関する情報と一致する情報を含むと判定した場合に、携帯端末からキャペーンへの応募を受け付ける許可手段と、を備える。【選択図】図８
2020177540.tif 000002
【特許請求の範囲】
【請求項１】
携帯端末を用いてキャンペーンへの応募を受け付ける管理装置によって運営されるキャンペーン運営システムであって、
前記携帯端末は、
商品に付けられた第１コードと前記商品に付けられたシールに印刷された第２コードとが前記携帯端末が備えるカメラによって略同時に撮影できる場合に、前記商品を特定する商品情報であり前記第１コードが表す第１情報と接続先情報及びシリアルナンバーを含む情報であり前記第２コードが表す第２情報とを取得する取得手段と、
前記第２情報に含まれる前記接続先情報に基づいて特定される前記管理装置に前記第１情報及び前記シリアルナンバーを送信する送信手段と、を備え、
前記管理装置は、
前記シール用に生成された前記シリアルナンバーのそれぞれに対してキャンペーン対象の商品に関する情報を関連付けて記憶する記憶手段と、
前記送信手段から受信した前記第１情報が、前記記憶手段に記憶された前記キャンペーン対象の商品に関する情報と一致する情報を含むと判定した場合に、前記携帯端末を用いて前記キャペーンへの応募を受け付ける許可手段と、を備える
キャンペーン運営システム。
【請求項２】
前記記憶手段は、
前記シリアルナンバーのそれぞれについて応募済であるか否かを記憶し、
前記許可手段は、
前記送信手段から受信した前記第１情報が、前記記憶手段に記憶された前記キャンペーン対象の商品に関する情報と一致する情報を含むと判定した場合であり、前記記憶手段を照合して受信した前記シリアルナンバーが応募済ではないと判定した場合に、前記携帯端末を用いて前記キャペーンへの応募を受け付ける
請求項１に記載のキャンペーン運営システム。
【請求項３】
前記シリアルナンバーは所定の生成手法によって生成されており、
前記許可手段は、
受信したシリアルナンバーが前記所定の生成手法によって生成されたシリアルナンバーであるか否かを判定する
請求項１または２に記載のキャンペーン運営システム。
【請求項４】
前記管理装置は、
複数のキャンペーンサイトを運営し、
各キャンペーンサイトのネットワーク上の識別情報は、
前記接続先情報及び前記第１情報に基づいて特定される
請求項１から３のいずれかに記載のキャンペーン運営システム。
【請求項５】
前記取得手段は、
前記第１情報及び前記第２情報の取得にあたり、前記第１情報または前記第２情報のいずれかの取得を先として順次取得する
請求項１から請求項４のいずれかに記載のキャンペーン運営システム。
【請求項６】
携帯端末からキャンペーンへの応募を受け付ける管理装置によって運営されるキャンペーン運営方法であって、
前記携帯端末は、
商品に付けられた第１コードと前記商品に付けられたシールに印刷された第２コードとが前記携帯端末が備えるカメラによって略同時に撮影できる場合に、前記商品を特定する商品情報であり前記第１コードが表す第１情報と接続先情報及びシリアルナンバーを含む情報であり前記第２コードが表す第２情報とを取得するステップと、
前記第２情報に含まれる前記接続先情報に基づいて特定される前記管理装置に前記第１情報及び前記シリアルナンバーを送信するステップと、を含み、
前記管理装置は、
前記シール用に生成された前記シリアルナンバーのそれぞれに対してキャンペーン対象の商品に関する情報を関連付けて記憶するステップと、
取得した前記第１情報が、前記関連付けて記憶された前記キャンペーン対象の商品に関する情報と一致する情報を含むと判定した場合に、前記携帯端末を用いて前記キャペーンへの応募を受け付けるステップと、を含む
キャンペーン運営方法。
【請求項７】
携帯端末からキャンペーンへの応募を受け付けるコンピュータが実行可能なプログラムであって、
応募シール用に生成されたシリアルナンバーのそれぞれに対してキャンペーン対象の商品に関する情報を関連付けて記憶する手順と、
商品に付けられた第１コードと前記商品に付けられた応募シールに印刷された第２コードとが前記携帯端末が備えるカメラによって略同時に撮影できる場合に、前記商品を特定する商品情報であり前記第１コードが表す第１情報と接続先情報及びシリアルナンバーを含む情報であり前記第２コードが表す第２情報とを取得する手順と、
取得した前記第１情報が、前記関連付けて記憶された前記キャンペーン対象の商品に関する情報と一致する情報を含むと判定した場合に、前記携帯端末を用いて前記キャペーンへの応募を受け付ける手順と、
を前記コンピュータに実行させるプログラム。
【発明の詳細な説明】
【技術分野】
【０００１】
本発明は、キャンペーン運営システム、キャンペーン運営方法、及びプログラムに関する。
【背景技術】
【０００２】
従前より、商品等の購入者の携帯端末からキャンペーンへの応募を受け付けるキャンペーン運営システムが考案されている。キャンペーンへの応募にあたっては、商品に貼り付けられた二次元コードを携帯端末のカメラで読み込むことで接続先のＵＲＬが携帯端末に取得され、キャンペーン運営サイトに接続される。
【０００３】
特許文献１には、日用品等のパッケージに印刷された二次元コードを購入者の携帯端末に読み込ませ、二次元コードに表されたＵＲＬによってキャンペーン運営サーバに接続させるキャンペーン運営システムが開示されている。二次元コードには、ＵＲＬのほかにシリアルナンバーが含まれ、シリアルナンバーはキャンペーンの応募において抽選に用いられる。
【先行技術文献】
【特許文献】
【０００４】
【特許文献１】特開２００７−２７２９１２号公報
【発明の概要】
【発明が解決しようとする課題】
【０００５】
特許文献１におけるキャンペーン用の二次元コードは、キャンペーン運営サーバのＵＲＬとシリアルナンバーとを事前に用意した後にキャンペーンに合わせて作成されるものである。
【０００６】
そのため、特許文献１におけるキャンペーンの運営は、キャンペーン内容が確定してからキャンペーンサイトが作成され、その後二次元コードを印刷した応募シールが製造される手法となる。
【０００７】
しかしながら、上記の手法では、応募シールを製造した後にキャンペーンの対象商品を変更する、キャンペーンサイトを変更する、といった変更に対応できず、製造した応募シールは廃棄する必要がある。また、応募シールを製造した後にキャンペーン規模を縮小する場合は、縮小した分の応募シールが廃棄されることになる。
【０００８】
このように、キャンペーンごとに専用の応募シールを製造する手法は、キャンペーン内容の変更等に柔軟に対応できず、キャンペーン運営コストに繋がっている。
【０００９】
本発明は、上記の問題点に鑑みてなされたものであり、キャンペーンに要する費用を低減することを目的とする。
【課題を解決するための手段】
【００１０】
本発明の一つの態様によれば、携帯端末を用いてキャンペーンへの応募を受け付ける管理装置によって運営されるキャンペーン運営システムであって、前記携帯端末は、商品に付けられた第１コードと前記商品に付けられたシールに印刷された第２コードとが前記携帯端末が備えるカメラによって略同時に撮影できる場合に、前記商品を特定する商品情報であり前記第１コードが表す第１情報と接続先情報及びシリアルナンバーを含む情報であり前記第２コードが表す第２情報とを取得する取得手段と、前記第２情報に含まれる前記接続先情報に基づいて特定される前記管理装置に前記第１情報及び前記シリアルナンバーを送信する送信手段と、を備え、前記管理装置は、前記シール用に生成された前記シリアルナンバーのそれぞれに対してキャンペーン対象の商品に関する情報を関連付けて記憶する記憶手段と、前記送信手段から受信した前記第１情報が、前記記憶手段に記憶された前記キャンペーン対象の商品に関する情報と一致する情報を含むと判定した場合に、前記携帯端末を用いて前記キャペーンへの応募を受け付ける許可手段と、を備える。
【発明の効果】
【００１１】
本発明の一つの態様によれば、応募シール用に生成されたシリアルナンバーについて、記憶手段（管理台帳）が各シリアルナンバーと対象となるキャペーンとを関連付けて管理し、応募シールと対象となるキャンペーンとを事後的に対応させることが可能である。これによって、応募シールを事前に多量に作成して個別に用いることが可能であり、応募シールの単価が低下することでキャンペーンに要する費用が低減する。
【図面の簡単な説明】
【００１２】
【図１】図１は、本発明の実施形態に係るキャンペーン運営システムの概略図である。
【図２Ａ】図２Ａは、応募シールの表面を説明する図である。
【図２Ｂ】図２Ｂは、応募シールの裏面を説明する図である。
【図３Ａ】図３Ａは、商品に応募シールが貼り付けられている図である。
【図３Ｂ】図３Ｂは、応募シールの読み込み時の図である。
【図４Ａ】図４Ａは、携帯端末におけるキャンペーン応募時の画面遷移図であってキャンペーンリーダが起動した状態の画面の一例である。
【図４Ｂ】図４Ｂは、携帯端末におけるキャンペーン応募時の画面遷移図であって応募コードと商品コードとを読み込む状態の携帯端末画面の一例である。
【図４Ｃ】図４Ｃは、携帯端末におけるキャンペーン応募時の画面遷移図であってキャンペーンサイトに接続する状態の携帯端末画面の一例である。
【図４Ｄ】図４Ｄは、携帯端末におけるキャンペーン応募時の画面遷移図であって景品を選択して応募する状態の携帯端末画面の一例である。
【図４Ｅ】図４Ｅは、携帯端末におけるキャンペーン応募時の画面遷移図であって抽選結果が表示された状態の携帯端末画面の一例である。
【図４Ｆ】図４Ｆは、携帯端末におけるキャンペーン応募時の画面遷移図であって景品の発送先に関する入力画面が表示された状態の携帯端末画面の一例である。
【図５】図５は、応募シールが販売される前の管理台帳の一例である。
【図６】図６は、応募シールが販売された後の管理台帳の一例である。
【図７】図７は、管理装置のブロック図である。
【図８】図８は、キャンペーン運営システムの制御フローを表す図である。
【発明を実施するための形態】
【００１３】
以下、図面を参照して、本発明の実施形態に係るキャンペーン運営システム１について説明する。
【００１４】
図１は、キャンペーン運営システム１の概略を説明する図である。キャンペーン運営システム１は、キャンペーンの対象となる商品１０を購入した者からキャンペーンへの応募を受け付けるためのシステムである。
【００１５】
図１に示すように、キャンペーン運営システム１は、携帯端末２０と、携帯端末２０と回線網４０を介して接続可能な管理装置３０と、を備える。回線網４０は、例えば、インターネットである。
【００１６】
携帯端末２０は、予め記憶される（インストールされる）キャンペーンリーダ２１とカメラ（図示省略）を備え、キャンペーンリーダ２１は、商品コード１１と応募シール１２に印刷されたコードとを取得するリーダ（図示省略）を備える。カメラ及びリーダは、携帯端末２０において取得手段を構成する。応募シール１２に印刷されたコードは、次の図２Ｂに表す応募コード１３である。応募シール１２は、キャンペーンの対象となる商品１０に貼り付けられる（取り付けられる）。
【００１７】
後ほど詳述するが、商品コード１１と応募コード１３とを同一画面に収まる様に携帯端末２０に読み込ませることがキャンペーン運営システム１の特徴のひとつとなる。
【００１８】
商品コード１１（第１コード）は、どのメーカのどの商品であるかを特定するコード（いわゆる統一商品コード）であり、例えば、バーコード形式のＪＡＮコードが該当する。商品コード１１が表す情報、つまりリーダが商品コード１１から取得する情報は第１情報を構成する。
【００１９】
応募コード１３（第２コード）は、管理装置３０に接続するための接続先情報（例えば、ＵＲＬ）とシリアルナンバーとを含む情報が表されるコードである。応募コード１３は、例えば、二次元コードによって表される。応募コード１３が表す情報、つまりリーダが応募コード１３から取得する情報は第２情報を構成する。
【００２０】
商品コード１１及び応募コード１３は、ともに、コードの形式や規格は既に知られるいずれのものであってもよい。つまり、バーコードであってもよく、二次元コードであってもよい。二次元コードであっては、マトリクス式のコード形式であってもよいし、スタック式のコード形式であってもよい。また、コードに情報を表す、コードの情報を読み込むという規格についても既存の規格のいずれであってもよく、例えば、コードが表現する数値情報の桁数が特定の桁数である必要はない。さらに、色の配列によって情報が記憶されるカラーコードも含まれる。
【００２１】
携帯端末２０は、例えば、スマートフォンが該当するが、コードを読み取る機能を備える端末であればいずれの機器でもよく、他の例示としてタブレット、スマートウォッチ、スマートグラスを含めることができる。
【００２２】
キャンペーンリーダ２１は、いわゆるアプリケーションソフトウェアであり、携帯端末２０への操作を受け付けて、コードの読み込み（コードが表す情報の取得）や管理装置３０への接続を実現する。
【００２３】
管理装置３０は、例えば、サーバとして機能するコンピュータであるが、クラウド環境に設けられてもよく、つまり、ソフトウェア及びデータベースがその実体である。
【００２４】
図２は、応募シール１２の表面と裏面を説明する図である。図２Ａは応募シール１２の表面の図であり、図２Ｂは同裏面の図である。
【００２５】
図２Ａに表すように、応募シール１２の表面１２ａは、キャンペーン応募用のシールであることを認識してもらえるように、また消費者（購入者）の注意をひくために、特定のデザインが施される。
【００２６】
表面１２ａのデザインは、例えば、共通デザインとしてキャンペーンごとに変更することなく、異なるキャンペーンであっても同じデザインが採用される。これにより、表面１２ａのデザインは、一般の消費者に応募シール１２であると広く認識される効果が生じる。また、キャンペーンごとにデザインを変更するコストが生じないため、応募シール１２の製造コストの低減効果が生じる。
【００２７】
図２Ｂに表すように、応募シール１２の裏面１２ｂは、応募コード１３が印刷される。応募コード１３に記録された情報は、管理装置３０への接続先情報（例えば、ＵＲＬ）とシリアルナンバーとを含む。応募シール１２の裏面１２ｂは、接着剤層が設けられ、次の図３において説明するように、応募シール１２の裏面１２ｂが商品１０に貼り付けられる面となる。
【００２８】
このように、応募シール１２は１枚のシートからなるシール（１枚式のシール）であるが、１枚目のシールをめくらないと応募コード１３が読み込めない２枚式のシールであってもよい。なお、購入者にとっては、１枚目のシールをめくる手間がかからないため、２枚式のシールに比べて１枚式のシールが好適となる。
【００２９】
図３Ａ及び図３Ｂは、応募シール１２の取り扱いを説明する図である。図３Ａは応募シール１２が商品１０に貼り付けられている状態の図である。図３Ｂは応募シール１２を商品１０から剥がして裏返した状態の図である。
【００３０】
図３Ａに表すように、応募シール１２は、応募コード１３が印刷された裏面１２ｂが商品１０に貼り付けられる。この状態では、携帯端末２０によって応募コード１３が読み込めない。
【００３１】
購入者は、応募シール１２を商品１０から剥がし、応募コード１３と商品コード１１とを携帯端末２０に読み込ませることで応募手順を進めることができる。
【００３２】
この時、商品コード１１と応募コード１３とは、携帯端末２０のカメラによって両方のコード情報が取得できるように配置できればどのような態様で配置してもよい。
【００３３】
次に、キャンペーンの応募について、携帯端末２０の画面に基づいて説明する。図４Ａから図４Ｆは、携帯端末２０におけるキャンペーン応募時の画面遷移図である。キャンペーンリーダ２１は、予め携帯端末２０にインストールされている（記憶されている）。
【００３４】
図４Ａは、携帯端末２０において、キャンペーンリーダ２１を起動した状態を表す。携帯端末２０の表示画面２２には、例えば、キャンペーンリーダ２１の使い方に関する内容が表示される。
【００３５】
図４Ｂは、キャンペーンリーダ２１がカメラモードとなり、携帯端末２０が備えるカメラによって商品コード１１と応募コード１３とを読み取っている状態である。
【００３６】
上記のとおり、商品コード１１及び応募コード１３は、ぞれぞれ、どのような向き、配置方法であってもよいが、商品コード１１と応募コード１３とが表示画面２２に収まる様に配置する必要がある。つまり、携帯端末２０において一画面に商品コード１１と応募コード１３とが映るように配置する。これは、いわゆる購買証明（商品１０を購入した者であることの証明）を担保するためである。
【００３７】
仮に、商品１０を購入せずに、店頭にある商品１０から応募シール１２を窃取したとしても、応募シール１２を窃取した者が店頭において商品１０を手に取ったまま商品コード１１と応募コード１３とを読み取る行為を行うことは、人目の観点から難しい。また、店頭において一方の手で携帯端末２０を持ち、他方の手で商品１０を持ちながら応募コード１３を商品コード１１の近くに移動させて読み込ませることも難しい。そのため、商品コード１１と応募コード１３とが一画面に収まる様に配置して読み込まれた場合は、購入者の自由が利く状態において読み込みが行われたものとみなしている。
【００３８】
ここで、購買証明のために、対象商品を購入したレシートの提出を応募の条件とするキャンペーン運営があるが、応募の受け付けにあたっては、レシートの情報を人手で確認することや運営システムへの手入力を要し、当該労力が運営コストに加算される。これに対して、キャンペーン運営システム１は、商品コード１１と応募コード１３とを同時に読み込ませることで購買証明がもたらされつつ、上記の運営コスト（レシートの確認等のコスト）を要しないため、低コストで運営が可能である。
【００３９】
キャンペーンリーダ２１による商品コード１１を読み込む処理と応募コード１３を読み込む処理とは、順次実行されてもよいし、同時に（または略同時に）実行されてもよい。順次実行される場合であっても僅かな時間によって２つのコードの読み込みが完了するため、購入者には同時に２つのコードの読み込みが実行されたものと認識される。
【００４０】
商品コード１１と応募コード１３の読み込みは、携帯端末２０のカメラによって同時に（または略同時に）撮影された場合に、読み込み成功（読み込み完了）とする。商品コード１１のみが読み込まれた場合や応募コード１３のみが読み込まれた場合は、読み込み成功とはならず、キャンペーンリーダ２１は、再度の読み込み操作を操作者に促す。２つのコードの読み込みが完了したかについては、例えば、リーダが２つのコードを認識できるように商品コード１１と応募コード１３とを携帯端末２０の一画面に収めて撮影できたかとも表現できる。
【００４１】
キャンペーンリーダ２１は、商品コード１１及び応募コード１３の読み込みが完了した場合に応募コード１３に含まれる接続先情報に基づいて管理装置３０へ接続する。このため、２つのコードの読み込みが完了しても、そこに表される情報に接続先情報が含まれない場合は、管理装置３０に接続されない。
【００４２】
キャンペーンリーダ２１が読み取ったコード情報に接続先情報が含まれる場合は、携帯端末２０と管理装置３０とが接続されて自動的にキャンペーンサイトへ移行（移動）される。この時、キャンペーンサイトへ移行する前に図４Ｃに表すキャンペーンサイトへの移行ボタン２３や広告（図示省略）、キャンペーンリーダ２１を使用することで得られるポイント（図示省略）等が表示画面２２に表示されるようにしても良い。
【００４３】
携帯端末２０と管理装置３０とが接続されると、携帯端末２０は、商品コード１１（商品コード１１が表す情報、第１情報）とシリアルナンバーとを管理装置３０に送信する。そして、管理装置３０は、受信した商品コード１１（商品コード１１が表す情報）がキャンペーン対象の商品の商品コードであるかを否か判定する。当該判定結果が肯定される場合、商品コード１１に対応したキャンペーンサイトと携帯端末２０とが接続される。
【００４４】
キャンペーン運営システム１は、同時に複数のキャンペーンサイトを運営可能であり、各携帯端末２０をいずれのキャンペーンサイトに接続するかは、携帯端末２０が送信する商品コード１１に基づく。具体的には、管理装置３０は、受信した応募コード１３に含まれる接続先情報（例えば、https://abc.co.jp）の後尾に受信した商品コード１１（例えば、12345678）を結合したＵＲＬ（https://abc.co.jp/12345678）によって特定されるキャンペーンサイトに接続する。ドメイン情報と商品コード１１との結合は、例えば、管理装置３０によって行われるが、キャンペーンリーダ２１によって行われてもよい。
【００４５】
携帯端末２０は、送信した商品コード１１によって特定されるキャンペーンサイトに接続されると、図４Ｄに表すキャンペーンへの応募操作を受け付ける画面が表示される。
【００４６】
そして、操作者によってコース選択ボタン２４が操作されると、管理装置３０において、重複応募ではないかの確認の後に抽選が行われる。重複応募（同一のシリアルナンバーによる繰り返しの応募）ではないかの確認は、応募コード１３のシリアルナンバーに基づいて行われる。なお、抽選を実行する前に、管理装置３０は、受信したシリアルナンバーがキャンペーン対象のシリアルナンバーであるか否かを確認する判定処理を実行可能である。シリアルナンバーは、例えば、特定のロジックにより計算された乱数であり、ＡキャンペーンにはＰロジックで算出されたシリアルナンバー、ＢキャンペーンにはＱロジックで算出されたシリアルナンバー、という対応関係を作ることができる。そして、シリアルナンバーに含まれるチェックデジットのコードを照合することにより「予定しているキャンペーンに用いられる正規のシリアルナンバーであるか」が判別する。また、受信したシリアルナンバーについて、これまでに用いたロジックのいずれかのロジックによって生成されたシリアルナンバーであるかを全てのロジックに照らし合わせて照合することにより、「正規のシリアルナンバーであるか」を判別することが可能である。
【００４７】
当該抽選に当選した場合は、図４Ｅ及び図４Ｆに表すように当選した旨や発送先に関する入力画面が表示画面２２に表示される。
【００４８】
なお、抽選結果は速やかに通知されても良いし、後日通知されてもよい。また、抽選方法はシリアルナンバーごとに事前に当落が決定されており当該当落を通知する方法でもよいし、応募の都度抽選を行う方法でもよい。また、応募者全員にキャンペーンの恩恵がもたらされる応募者全員に漏れなく当たる形式でもよく、さらに、キャンペーンとして購入者に還元されるものは、郵送される有形物ではなく、ダウンロード可能なクーポン等の無形物であってもよい。
【００４９】
上記のとおり、応募コード１３のシリアルナンバーは所定の手法によって生成されるため、当該手法によらない不正なナンバーを判別可能である。そのため、図４Ｄに表すキャンペーンへの応募操作を受け付ける画面の表示にあたっては、シリアルナンバーの正当性を確認した後に正当なシリアルナンバーである場合にのみ表示することができる。シリアルナンバーの正当性の確認は、携帯端末２０において（キャンペーンリーダ２１によって）実行してもよいし、管理装置３０において実行してもよい。
【００５０】
次に、シリアルナンバーの管理について説明する。図５及び図６は、シリアルナンバーの管理を説明する管理台帳（記憶手段）３３である。図５は応募シール１２が販売される前の管理台帳３３であり、図６は応募シール１２が販売された後の管理台帳３３である。
【００５１】
管理台帳３３は、応募コード１３に含まれるシリアルナンバーを管理するためのものであり、応募シール１２が（シリアルナンバーが）販売されると、シリアルナンバーと販売先の情報とを関連付けて（紐付けて）管理することが可能である。また、応募シール１２を貼り付ける商品が決定するとシリアルナンバーと貼付先商品とを関連付けて（紐付けて）管理することが可能である。また、販売した（販売が予定される）応募シール１２の各々がそれぞれいずれのキャンペーンサイトに接続するかが決定すると、シリアルナンバーと接続先のキャンペーンサイトとを関連付けて（紐付けて）管理可能である。
【００５２】
つまり、キャンペーン運営システム１は、応募シール１２のために生成したシリアルナンバーと、販売先の情報、貼り付け先の商品、キャンペーン情報（対象のキャンペーンやキャンペーンサイト）とを事後的に関連付けて管理可能である。そのため、関連付けた内容に変更が生じた場合は、変更に合わせて対応関係を更新すればよく、再度応募シール１２を作り直す必要がない。また、事後的に上記の情報を関連付けて管理可能であるため、応募コード１３が印刷された応募シール１２を事前に大量に製造しておき、受注を受ける度に個別数量の応募シール１２を販売することができる。
【００５３】
このように、応募シール１２（シリアルナンバー）とキャンペーン情報等との事後的な関連付けによってキャンペーンが運営されることがキャンペーン運営システム１の特徴のひとつとなる。
【００５４】
管理台帳３３は、例えば、説明の便宜のために設けた「Ｓｅａｌ−Ｎｏ」、１ダースを１ロットとする「製造Ｌｏｔ−Ｎｏ」、シリアルナンバーである「応募−Ｎｏ」、シリアルナンバーの販売先情報である「販売先」、応募シール１２を貼り付ける商品情報である「貼付先商品」、キャンペーンサイトを特定する「キャンペーン」、応募履歴の有無に関する「応募履歴」の欄、を備える。
【００５５】
シリアルナンバーは、例えば、セキュリティの観点から連番とならないようにランダムな数値あるいはユニークに振られる数値となるように作成される。なお、シリアルナンバーは、数値だけでなくアルファベット等の文字や記号を含むものでもよい。
【００５６】
「販売先」の欄のコードは、例えば、顧客コードである。「貼付先商品」の欄の数値は、例えば、ＪＡＮコード（商品コード１１）の数値である。「応募履歴」の欄は、そのシリアルナンバーが一度抽選に用いられると「あり」と入力される。
【００５７】
「キャンペーン」の欄は、キャンペーンごとに用意されるキャンペーンサイトについて、いずれのキャンペーンサイトであるかが入力される。ここで、キャンペーンサイトについて簡単に説明すると、キャンペーンサイトを個別に一から作成することは多くの労力を要するものであるため、キャンペーン運営システム１は、プラットフォームを用いて個別のキャンペーンに対応する形式でサイトが作成される。そのため、個別に一からキャンペーンサイトを作成する手法に比べてキャンペーンサイトの作成費用が低減する。
【００５８】
図５は、応募シール１２が製造された状態であって販売前の状態の管理台帳３３であるため、「Ｓｅａｌ−Ｎｏ」「製造Ｌｏｔ−Ｎｏ」「応募−Ｎｏ」の欄にのみ情報が入力されている。
【００５９】
これに対して、図６では、応募シール１２が販売された後であり、決定した情報が入力されている。例えば、Ｓｅａｌ−Ｎｏが「Ｓ００１」から「Ｓ００９」までの応募シール１２は、「Ｃ００１」の販売先に販売され、商品コード１１が「１１２２３３４４」の商品に貼り付けられている。そして、Ｓｅａｌ−Ｎｏが「Ｓ００１」から「Ｓ００９」までの応募シール１２には、商品コード１１が「１１２２３３４４」の商品のキャンペーンとしてＡキャンペーンサイトが対応することが入力されている。当該商品のキャンペーンはすでにリリースされていることから、Ｓｅａｌ−Ｎｏが「Ｓ００１」、「Ｓ００４」、「Ｓ００７」、「Ｓ００８」に対応する応募シール１２（シリアルナンバー）は応募履歴が「あり」となっている。
【００６０】
また、例えば、Ｓｅａｌ−Ｎｏが「Ｓ０１０」から「Ｓ０１８」までの応募シール１２は、「Ｃ００２」の販売先に販売され、商品コード１１が「２２４４６６８８」の商品に貼り付けられること、当該商品のキャンペーンとしてＢキャンペーンサイトが対応することが入力されている。しかし、当該応募シール１２が貼り付けられた商品１０が未だ店頭に陳列されていないため、応募は発生していない。また、例えば、Ｓｅａｌ−Ｎｏが「Ｓ８９１」から「Ｓ８９３」までの応募シール１２は、「Ｃ００９」の販売先に販売され、Ｕキャンペーンサイトを用いることまで決定しているが、いずれの商品に貼り付けるかが未定である。
【００６１】
このように、キャンペーン運営システム１は、応募シール１２の製造後にシリアルナンバーとキャンペーンに関する情報とを関連付けるため、応募シール１２を事前に大量に製造することが可能であり、キャンペーンごとに個別にシールを製造する手法に比べて製造単価を低減させることができる。
【００６２】
また、キャンペーン運営システム１は、応募シール１２のシリアルナンバーをＫＥＹとして各種の情報を関連付けて管理することで、応募コード１３の印刷後に関連付け先の情報が変更されても応募シール１２を作り直す必要がなく柔軟に対応することができる。例えば、応募シール１２をＡ社に販売したが、応募シール１２がＡ社からＢ社に移転した場合であってもシリアルナンバーの販売先情報を変更する（更新する）だけで対応が可能である。また、各キャンペーンの企画の進捗がバラバラであってもキャンペーンごとの内容が決定次第管理台帳３３に入力することができるため、キャンペーンの企画から終了までの進捗がキャンペーンごとに一定でなくても対応することができる。
【００６３】
また、応募シール１２を予め大量に製造した上での個別に販売することができるため、応募シール１２の製造最小ロット数を下回る数の応募シール１２のニーズにも廉価に販売することができる。このため、販売力の弱い小規模事業者等であってもキャンペーン運営システム１を活用することにより、単独でキャンペーンの主催者となることができる。もちろん、大規模事業者もキャンペーンの主催者となることができる。
【００６４】
なお、キャンペーン運営システム１は、シリアルナンバーではなく、製造Ｌｏｔ−ＮｏをＫＥＹとして応募シール１２と、販売先の情報、貼り付け先の商品、キャンペーンサイト等との情報を関連付けることも可能である。
【００６５】
次に、管理装置３０について説明する。図７は、管理装置３０のブロック図である。
【００６６】
管理装置３０は、主たる構成として、制御手段３１、実行手段３２、管理台帳３３、入出力手段３４、キャンペーン提供手段３５、を備える。
【００６７】
制御手段３１は、実行手段３２、管理台帳３３、入出力手段３４、キャンペーン提供手段３５をそれぞれ接続するとともに、これら各手段を制御して各種機能を実現させるために所定の処理を実行する。つまり、制御手段３１は、バス的な要素とＣＰＵ的な要素を併せ持つものであるが、管理装置３０がクラウド環境によって提供されることも踏まえると、制御手段３１は、演算装置でもあるし管理装置３０を制御するソフトウェアでもある。
【００６８】
実行手段３２は、管理装置３０の記憶領域に保存されるプログラムであり、携帯端末２０からの応募を許可する許可手段を構成する。実行手段３２は、商品コード照合手段３２ａ、シリアルナンバー照合手段３２ｂ、抽選手段３２ｃ、を備える。
【００６９】
商品コード照合手段３２ａは、携帯端末２０から転送された商品コード１１が応募を受け付けているキャンペーンの対象商品であるか否かを判定する手段である。
【００７０】
シリアルナンバー照合手段３２ｂは、携帯端末２０から転送されたシリアルナンバーがすでに応募履歴のあるシリアルナンバーであるか否かを判定する手段である。また、シリアルナンバー照合手段３２ｂは、シリアルナンバーが正当な数値であるかを照合することができる。例えば、シリアルナンバーはランダム性を備えながらも所定の生成手法によって生成されるため、他人が勝手に生成した不当な数値を判別することができる。
【００７１】
抽選手段３２ｃは、キャンペーンへの応募が正常に受けつけられた場合に、景品等の当落を抽選する手段である。
【００７２】
管理台帳３３は、シリアルナンバーをＫＥＹとして販売先、貼付先商品、キャンペーンサイト、応募履歴を管理するものであり、例えば、シリアルナンバー照合手段３２ｂは、管理台帳３３を参照して応募履歴の有無を判定する。前述のとおり、管理台帳３３は、シリアルナンバーに替えて製造Ｌｏｔ−ＮｏをＫＥＹとして販売先、貼付先商品、キャンペーンサイトを管理することができる。この場合、シリアルナンバーは、応募履歴の管理に用いられる。
【００７３】
入出力手段３４は、管理装置３０のインターフェース及び通信制御を含む通信ポートが含まれ、Ｉ／Ｏ全般の機能を担う。
【００７４】
キャンペーン提供手段３５は、キャンペーンサイトが設けられた記憶領域となる。キャンペーンサイトは、Ａキャンペーンサイト３５ａからｎ個目のＮキャンペーンサイト３５ｎが設けられ、任意にキャンペーンサイトの数を増減させることができる。前述のとおり、Ａキャンペーンサイト３５ａ、Ｂキャンペーンサイト３５ｂ等はいずれも共通のプラットフォームより作成されるため、作成費用が低く抑えられている。そのため、応募シール１２のコストとキャンペーンサイトの作成費用とを合わせると、個別のキャンペーンに対応させて一からシール及びサイトが作成される従来型のキャンペーン運営に対してキャンペーン費用が低い。
【００７５】
次に、キャンペーン運営システム１の制御内容について説明する。図８はキャンペーン運営システム１の制御フローを表す図である。以下では、携帯端末２０と管理装置３０との間での制御を説明する。
【００７６】
携帯端末２０（キャンペーンリーダ２１）は、商品コード１１と応募コード１３との２コードの読み込みが行われると（Ｓ１０）、管理装置３０に接続するか否かの判定を行う（Ｓ１１）。具体的には、携帯端末２０は、応募コード１３に含まれる接続先情報が管理装置３０への接続先情報であるか否かを判定し、応募コード１３に含まれる接続先情報が管理装置３０の接続先情報である場合に、管理装置３０に接続する。なお、応募コード１３のみの読み込みでは携帯端末２０は、接続判定は行わず、管理装置３０に接続できない。商品１０を購入した者であることの証明（購買証明）として２つのコードを一度の操作によって読み込んだ場合にのみ、携帯端末２０は管理装置３０に接続が可能となる。
【００７７】
繰り返しになるが、２つのコードを一度の操作によって読み込んだ場合とは、リーダが２つのコードを認識できるように、操作者が商品コード１１と応募コード１３とを携帯端末２０の一画面に収めて撮影する操作を指す。つまり、商品コード１１と応募コード１３とを同時（または略同時）に撮影できた場合であり、若干の時間差（例えば、一方のコードにピントを合わせ、その後他方のコードにピントを合わせる）を含めて２つのコードをカメラの視野に捉えて撮影することである。
【００７８】
携帯端末２０と管理装置３０との接続時には、商品コード１１が表す情報（第１情報）と応募コード１３に含まれるシリアルナンバーとが管理装置３０に転送される。そして、管理装置３０では、受信した第１情報がキャンペーン対象の商品に関する情報（キャンペーン対象の商品の商品コード）と一致するか否かを判定する（照合する）（Ｓ１２）。つまり、管理装置３０の実行手段（許可手段）３２は、管理台帳３３を参照して、受信した第１情報がキャンペーン対象の商品に関する情報（キャンペーン対象の商品の商品コード）と一致しないと判定した場合は応募を許可せず、一致すると判定した場合は応募を許可する。
【００７９】
Ｓ１２において、受信した第１情報がキャンペーン対象の商品に関する情報ではない場合は、管理装置３０は、携帯端末２０が読み込んだ商品の商品コード１１がキャンペーン対象ではない旨の表示を携帯端末２０に送信する。Ｓ１２において、照合が適合する場合は、管理装置３０は、接続先情報に商品コード１１を結合した結合ＵＲＬを作成する（Ｓ１３）。結合ＵＲＬは、キャンペーン提供手段３５に設けられるいずれかのキャンペーンサイトのＵＲＬとなる。
【００８０】
携帯端末２０には、結合ＵＲＬによって特定されるキャンペーンサイトが表示される（Ｓ１４）。そして、携帯端末２０がキャンペーンへの応募操作を受け付けると（Ｓ１５）、管理装置３０は、シリアルナンバーの応募履歴を確認し（Ｓ１６）、応募履歴がないことを条件に応募を受け付ける（抽選を実行する）（Ｓ１７）。つまり、実行手段（許可手段）３２は、管理台帳３３を参照して、受信したシリアルナンバーが応募済であると判定した場合は応募を許可せず、応募済ではないと判定した場合は応募を許可する。なお、キャンペーン内容によっては、抽選を行わずに、応募者全員に景品等が当たる等の応募受付であってもよい。
【００８１】
管理装置３０において抽選が完了すると、携帯端末２０には、抽選結果が表示され（Ｓ１８）、携帯端末２０は、必要に応じて景品の発送先等の個人情報の入力を受け付ける（Ｓ１９）。受け付けた個人情報は、携帯端末２０から管理装置３０に転送される（Ｓ２０）。
【００８２】
以上によれば、キャンペーン運営システム１は、以下に示す効果を奏する。
【００８３】
キャンペーン運営システム１において、携帯端末２０は、商品１０に取り付けられた商品コード１１（第１コード）によって表され商品１０を特定する商品情報を含む第１情報（ＪＡＮコードが表す情報）と、商品１０に貼り付けられた応募シール１２に印刷された応募コード１３（第２コード）によって表され接続先情報及びシリアルナンバーを含む第２情報（応募コード１３が表す情報）と、を一度の取得操作で取得する取得手段と、第２情報に含まれる接続先情報に基づいて特定される管理装置３０に第１情報及びシリアルナンバーを送信する送信手段と、を備え、管理装置３０は、応募シール１２用に生成されたシリアルナンバーのそれぞれに対してキャンペーン対象の商品コードを関連付けて記憶する管理台帳（記憶手段）３３と、受信した第１情報が、管理台帳３３に記憶されたキャンペーン対象の商品コードと一致すると判定した場合に、携帯端末２０からキャペーンへの応募を受け付ける実行手段３２と、を備える。
【００８４】
これによれば、応募シール用に生成されたシリアルナンバーについて、管理台帳（記憶手段）３３が各シリアルナンバーと対象となるキャペーン商品とを関連付けて管理し、応募シール１２と対象となるキャンペーンとを事後的に対応させる。これによって、応募シール１２を事前に多量に作成して個別数量ごとに販売等することが可能であり、応募シールの単価が低下することでキャンペーンに要する費用が低減する。
【００８５】
また、応募コード１３と商品コード１１とが同時に携帯端末２０に読み込まれる状況が商品１０を購入した者による自由な処分行為であるといえるため、商品１０の購買証明が果たされる。そのため、商品１０を購入した者による正当な応募が受けつけられることになり、キャンペーンの恩恵が商品１０の購入者に提供される。さらに、購買証明を担保するためにレシートを提出して応募する運営手法に比して、購買証明を果たしつつ低コストでキャンペーンを運営できる。
【００８６】
また、管理台帳３３は、シリアルナンバーのそれぞれについて応募済であるか否かを記憶し、実行手段３２は、受信した第１情報が、キャンペーン対象の商品コードと一致すると判定した場合であり、管理台帳３３を照合して受信したシリアルナンバーが応募済ではないと判定した場合に、携帯端末２０からキャペーンへの応募を受け付ける。
【００８７】
これによれば、同じ応募シール１２に基づく繰り返しの応募を受け付けない。
【００８８】
また、シリアルナンバーは所定の生成手法によって生成されており、実行手段３２は、受信したシリアルナンバーが所定の生成手法によって生成されたシリアルナンバーであるか否かを判定する。
【００８９】
これによれば、他人が勝手に生成したシリアルナンバーでは応募を受け付けないため、不当な景品等の窃取を防止できる。
【００９０】
また、管理装置３０は、複数のキャンペーンサイトを運営し、各キャンペーンサイトのネットワーク上の識別情報は、接続先情報及び第１情報に基づいて特定される。
【００９１】
これによれば、各キャンペーンサイトのＵＲＬを特定の接続先情報と商品コード１１とによって作成するため、キャンペーンサイトごとのＵＲＬの管理が容易となる。
【００９２】
以上、本発明の実施形態について説明したが、上記実施形態は本発明の適用例の一つを示したものに過ぎず、本発明の技術的範囲を上記実施形態の具体的構成に限定する趣旨ではない。
【００９３】
例えば、応募シール１２は、商品１０のパッケージラベルの一部として形成されてもよく、パッケージラベルの一部の領域の裏側に応募コード１３が印刷される形態を採用することができる。また、商品１０が開封する形状の包装である場合は、開封した内側に応募コード１３が印刷されてもよい。いずれの形態であっても応募コード１３が印刷された部分を切り取って商品コード１１が印刷された部分に近接させて２コード読み込みが可能である。
【００９４】
また、携帯端末２０に記憶されるアプリケーションの機能は、いわゆるＡＳＰ（Application Service Provider）方式によって、管理装置３０よりもたらされてもよい。つまり、キャンペーンリーダ２１のプログラムコードは管理装置３０が備えていてもよい。
【００９５】
さらに、管理装置３０が実行する各種プログラムは、例えばＣＤ−ＲＯＭ等の非一過性の記録媒体に記憶されたものを用いてもよい。
【符号の説明】
【００９６】
１    キャンペーン運営システム
１０    商品
１１    商品コード（第１コード）
１２    応募シール
１３    応募コード（第２コード）
２０    携帯端末
２１    キャンペーンリーダ
２２    表示画面
２３    移行ボタン
２４    コース選択ボタン
３０    管理装置
３１    制御手段
３２    実行手段（許可手段）
３２ａ    商品コード照合手段
３２ｂ    シリアルナンバー照合手段
３２ｃ    抽選手段
３３    管理台帳（記憶手段）
３４    入出力手段
３５    キャンペーン提供手段
４０    回線網
【図１】
2020177540.tif 000003
【図２Ａ】
2020177540.tif 000004
【図２Ｂ】
2020177540.tif 000005
【図３Ａ】
2020177540.tif 000006
【図３Ｂ】
2020177540.tif 000007
【図４Ａ】
2020177540.tif 000008
【図４Ｂ】
2020177540.tif 000009
【図４Ｃ】
2020177540.tif 000010
【図４Ｄ】
2020177540.tif 000011
【図４Ｅ】
2020177540.tif 000012
【図４Ｆ】
2020177540.tif 000013
【図５】
2020177540.tif 000014
【図６】
2020177540.tif 000015
【図７】
2020177540.tif 000016
【図８】
2020177540.tif 000017